(57)【特許請求の範囲】
【請求項１】
垂直に立設された下地材に、この下地材の表面を覆う板材を取り付けるための板材用取付金物において、
前記板材の裏面の下端部近傍に取り付けられる第１差込金物と、この第１差込金物よりも上方に位置し、前記板材の裏面に取り付けられる複数の第２差込金物と、これら第１差込金物および第２差込金物の取付位置に対応して前記下地材の表面に複数取り付けられる受け金物とからなり、
この受け金物は、上方向に開口する開口部を有して前記第１差込金物および第２差込金物が差し込まれる受け金物本体を備えるとともに、この受け金物本体は、前記下地材に対向し、かつ下方に向かって徐々に下地材との間隔が狭まるように傾斜する傾斜板部を備えており、
前記第１差込金物は、下方に向かって延出し、前記受け金物本体に差し込まれる本体差込部を備えるとともに、この本体差込部は、この本体差込部の上部に一体的に形成され、前記受け金物本体の傾斜板部の上端部に引っ掛かる引掛部とを備えており、
この第１差込金物は、前記引掛部の前記傾斜板部の上端部に当接する部分を軸にして回動可能となっていることを特徴とする板材用取付金物。
【請求項２】
請求項１に記載の板材用取付金物において、
前記第２差込金物は、前記受け金物本体に差し込まれる本体差込部を備えるとともに、この本体差込部は、この本体差込部の下部に一体的に形成され、前記受け金物本体の傾斜板部の上端部に引っ掛かる引掛部と、この引掛部の下部に、下方に向かって膨らむように断面円弧状に形成された摺動部とを備えており、
この第２差込金物は、前記摺動部の外周面に沿って前記傾斜板部の上端面を摺動可能となっていることを特徴とする板材用取付金物。
【請求項３】
請求項１または２に記載の板材用取付金物において、
前記第１差込金物および第２差込金物は、前記本体差込部の上端部に一体的に形成され、かつ前記受け金物本体の開口部よりも幅広に形成される当接板部をそれぞれ備えていることを特徴とする板材用取付金物。
【請求項４】
前記板材の裏面および下地材の表面に、請求項１〜３のいずれか一項に記載の板材用取付金物を取り付けてなる板材用取付金物の取付構造であって、
前記板材の裏面の一方の側端部には、前記第１差込金物が、前記板材の下端部近傍に位置して取り付けられるとともに、前記第２差込金物が、この第１差込金物よりも上方に位置して複数取り付けられ、さらに、これら第１差込金物および第２差込金物は、上下方向に所定間隔で配置されており、
前記板材の裏面の他方の側端部には、複数の前記第２差込金物が、一方の側端部に取り付けられた前記第１差込金物よりも上方に位置して取り付けられ、かつ上下方向に所定間隔で配置されており、
前記下地材の表面には、前記第１差込金物および第２差込金物の取付位置に対応して前記受け金物が複数取り付けられていることを特徴とする板材用取付金物の取付構造。
【請求項５】
請求項３に記載の板材用取付金物を用いて、板材を下地材に取り付ける板材の取付方法であって、
前記第１差込金物および第２差込金物が取り付けられた板材を、前記受け金物が取り付けられた下地材に取り付けるに際し、
前記第１差込金物の本体差込部を、前記受け金物本体に差し込みむとともに、この本体差込部の引掛部を、前記受け金物本体の傾斜板部の上端部に引っ掛けた後に、前記第１差込金物を、前記引掛部の前記傾斜板部の上端部に当接する部分を軸にして回動させて前記板材を立て起こし、
前記板材の立て起こしに合わせて、前記複数の第２差込金物を下方から徐々に、それぞれの対応する受け金物に接近させ、各第２差込金物と受け金物とが互いに接近した際に、該第２差込金物の引掛部を、受け金物本体の傾斜板部の上端部に引っ掛け、
次に、前記第２差込金物を、前記摺動部の外周面に沿って前記傾斜板部の上端面を摺動させて前記受け金物本体の開口部に接近させると同時に、前記第１差込金物の引掛部の引掛状態を解除することによって、前記板材を、この板材と下地材とが平行となるように立て起こすとともに前記下地材に接近させ、
その後、前記第１差込金物および第２差込金物を、これら第１差込金物および第２差込金物の当接板部が前記受け金物本体の上端部に当接するまで、前記受け金物本体の傾斜板部の傾斜面に沿って斜め下方に摺動させることを特徴とする板材の取付方法。
【発明の詳細な説明】
【技術分野】
【０００１】
本発明は、垂直に立設された下地材に、この下地材の表面を覆う板材を取り付けるための板材用取付金物および板材用取付金物の取付構造、板材用取付金物を用いた板材の取付方法に関する。
【背景技術】
【０００２】
住宅等の建物の外壁の施工する際に、外部に面する構造用合板の表面を下地材にして、この下地材に、外装材等の壁用面材を取り付ける場合がある。その方法として、下地材の表面に受け金物を取り付けるとともに、壁用面材の裏面に掛け金物を取り付け、掛け金物を受け金物に掛けることによって、壁用面材を下地材に取り付ける技術が知られている（例えば、特許文献１参照）。
【０００３】
そして、このような受け金物および掛け金物の技術は、外装材等の壁用面材だけでなく、例えば外壁面に取り付けられる看板や、店舗等で使用される姿見、壁に沿って設置される絵画の額や本棚等、様々なものに適用することが可能である。つまり、板状に形成されたもの（以下、板材）を、下地材に取り付ける際に好適である。
【特許文献１】特開２００４−３００７２０号公報
【発明の開示】
【発明が解決しようとする課題】
【０００４】
ところが、板材の下地材への取り付けに、受け金物および掛け金物のような技術を採用した場合、これら受け金物および掛け金物は、それぞれ下地材および板材の上下方向に間隔をあけて複数取り付けられるため、全ての掛け金物を、全ての受け金物に同時に掛けなければならず、全ての受け金物および掛け金物に同時に気を配らなければならなかった。
しかしながら、例えば、比較的面積の大きい板材を取り付けるに際して、作業者が一人の場合、作業者は板材を正面から抱えたまま作業を行わなければならない。このため、作業者が板材の背面側にある全ての受け金物および掛け金物に気を配ることは困難であり、全ての掛け金物を、全ての受け金物に同時に掛けることができない場合があった。
【０００５】
本発明の課題は、板材を下地材に容易かつ確実に取り付けることができる板材用取付金物および板材用取付金物の取付構造、板材の取付方法を提供することを目的とする。
【課題を解決するための手段】
【０００６】
請求項１に記載の発明は、例えば図１〜図４に示すように、垂直に立設された下地材２に、この下地材２の表面を覆う板材１を取り付けるための板材用取付金物において、
前記板材１の裏面の下端部近傍に取り付けられる第１差込金物１０と、この第１差込金物１０よりも上方に位置し、前記板材１の裏面に取り付けられる複数の第２差込金物２０と、これら第１差込金物１０および第２差込金物２０の取付位置に対応して前記下地材２の表面に複数取り付けられる受け金物３０とからなり、
この受け金物３０は、上方向に開口する開口部３１ａを有して前記第１差込金物１０および第２差込金物２０が差し込まれる受け金物本体３１を備えるとともに、この受け金物本体３１は、前記下地材２に対向し、かつ下方に向かって徐々に下地材２との間隔が狭まるように傾斜する傾斜板部３１ｂを備えており、
前記第１差込金物１０は、下方に向かって延出し、前記受け金物本体３１に差し込まれる本体差込部１１を備えるとともに、この本体差込部１１は、この本体差込部１１の上部に一体的に形成され、前記受け金物本体３１の傾斜板部３１ｂの上端部に引っ掛かる引掛部１２とを備えており、
この第１差込金物１０は、前記引掛部１２の前記傾斜板部３１ｂの上端部に当接する部分を軸にして回動可能となっていることを特徴とする。
【０００７】
請求項１に記載の発明によれば、前記第１差込金物１０は、下方に向かって延出し、前記受け金物本体３１に差し込まれる本体差込部１１を備えるとともに、この本体差込部１１は、この本体差込部１１の上部に一体的に形成され、前記受け金物本体３１の傾斜板部３１ｂの上端部に引っ掛かる引掛部１２とを備え、この第１差込金物１０は、前記引掛部１２の前記傾斜板部３１ｂの上端部に当接する部分を軸にして回動可能となっているので、前記第１差込金物１０の本体差込部１１を前記受け金物本体３１に差し込みながら、前記第１差込金物１０の引掛部１２を前記受け金物本体３１の傾斜板部３１ｂに引っ掛けた後に、この第１差込金物１０を、前記引掛部１２の前記傾斜板部３１ｂの上端部に当接する部分を軸にして回動させることによって、この第１差込金物１０を支点にして、前記板材１を立て起こすことができる。また、前記引掛部１２は、前記本体差込部１１の上部に一体的に形成されているので、前記板材１を垂直に立て起こした後、この引掛部１２を、前記受け金物本体３１に差し込むことができる。
さらに、この第１差込金物１０よりも上方に位置するようにして前記複数の第２差込金物２０が、前記板材１の裏面に取り付けられるとともに、前記受け金物３０が、前記第１差込金物１０および第２差込金物２０の取付位置に対応して前記下地材２の表面に複数取り付けられているので、前記板材１が立て起こされるにつれて、下方側に位置する第２差込金物２０から上方側に位置する第２差込金物２０へと、徐々に前記受け金物本体３１に接近していくこととなる。そして、最上方に位置する第２差込金物２０が、前記受け金物本体３１の開口部３１ａに接近し、前記板材１が垂直に立て起こされ、この開口部３１ａから前記受け金物本体３１に差し込まれる時に、その他の第１差込金物１０および第２差込金物２０も、前記受け金物本体３１に同時に差し込まれることとなる。
したがって、前記第１差込金物１０を、前記受け金物本体３１に差し込んでから板材１を立て起こし、さらに前記第２差込金物２０を徐々に受け金物本体３１に接近させていくだけで、全ての第１差込金物１０および第２差込金物２０を、前記受け金物本体３１に同時に差し込むことができる。しかも、このように前記第１差込金物１０を前記受け金物本体３１に差し込むことをきっかけにして、前記第２差込金物２０を前記受け金物本体３１に差し込むことができ、延いては前記板材１を下地材２に取り付けることができるので、従来とは異なり、前記板材１や下地材２に取り付けられる全ての金物に気を配る必要をなくすことができ、前記板材１を下地材２に容易かつ確実に取り付けることができる。
【０００８】
請求項２に記載の発明は、例えば図１および図２に示すように、請求項１に記載の板材用取付金物において、
前記第２差込金物２０は、前記受け金物本体３１に差し込まれる本体差込部２１を備えるとともに、この本体差込部２１は、この本体差込部２１の下部に一体的に形成され、前記受け金物本体３１の傾斜板部３１ｂの上端部に引っ掛かる引掛部２２と、この引掛部２２の下部に、下方に向かって膨らむように断面円弧状に形成された摺動部２２ａとを備えており、
この第２差込金物２０は、前記摺動部２２ａの外周面に沿って前記傾斜板部３１ｂの上端面を摺動可能となっていることを特徴とする。
【０００９】
請求項２に記載の発明によれば、前記本体差込部２１は、この本体差込部２１の下部に一体的に形成され、前記受け金物本体３１の傾斜板部３１ｂの上端部に引っ掛かる引掛部２２と、この引掛部２２の下部に、下方に向かって膨らむように断面円弧状に形成された摺動部２２ａとを備え、この第２差込金物２０は、前記摺動部２２ａの外周面に沿って前記傾斜板部３１ｂの上端面を摺動可能となっているので、前記板材１を立て起こし、前記第２差込金物２０を、前記受け金物本体３１に接近させた際に、前記引掛部２２を、前記傾斜板部３１ｂの上端部に引っ掛けることができる。さらに、引掛部２２を傾斜板部３１ｂの上端部に引っ掛けた状態から、さらに前記板材１を立て起しながら前記下地材２に接近させることによって、前記第２差込金物２０を、前記引掛部２２の引掛状態を解除しながら、前記摺動部２２ａの外周面に沿って前記傾斜板部３１ｂの上端面を摺動させることができる。そして、この摺動部２２ａが、前記傾斜板部３１ｂの上端面を摺動していくにつれて、前記第２差込金物２０を前記受け金物本体３１の開口部３１ａに接近させることができるので、前記板材１が垂直に立て起こされた際に、前記第２差込金物２０の本体差込部２１を、前記受け金物本体３１に差し込むことができる。また、前記引掛部２２および摺動部２２ａは、前記本体差込部２１の下部に一体的に形成されているので、前記板材１を垂直に立て起こした後、これら引掛部２２および摺動部２２ａを、前記受け金物本体３１に差し込むことができる。
【００１０】
請求項３に記載の発明は、例えば図１および図２に示すように、請求項１または２に記載の板材用取付金物において、
前記第１差込金物１０および第２差込金物２０は、前記本体差込部１１，２１の上端部に一体的に形成され、かつ前記受け金物本体３１の開口部３１ａよりも幅広に形成される当接板部１３，２３をそれぞれ備えていることを特徴とする。
【００１１】
請求項３に記載の発明によれば、前記第１差込金物１０および第２差込金物２０は、前記本体差込部１１，２１の上端部に一体的に形成され、かつ前記受け金物本体３１の開口部３１ａよりも幅広に形成される当接板部１３，２３をそれぞれ備えているので、これら第１差込金物１０および第２差込金物２０を、前記受け金物本体３１に差し込んだ際に、前記当接板部１３，２３が、前記受け金物本体３１の上端部に当接することとなる。これによって、前記受け金物３０上に、前記第１差込金物１０および第２差込金物２０を支持することができるので、前記板材１を下地材２により確実に取り付けることができる。
【００１２】
また、全ての前記第１差込金物１０および第２差込金物２０の当接板部１３，２３が前記受け金物本体３１の上端部に当接した状態が、前記板材１が下地材２に正しく取り付けられた状態となるので、これら当接板部１３，２３が、前記受け金物本体３１の上端部に当接しているか否かを確認することで、前記板材１が下地材２に正しく取り付けられているか否かを確認することができる。
【００１３】
請求項４に記載の発明は、例えば図３および図４に示すように、前記板材１の裏面および下地材２の表面に、請求項１〜３のいずれか一項に記載の板材用取付金物を取り付けてなる板材用取付金物の取付構造であって、
前記板材１の裏面の一方の側端部には、前記第１差込金物１０が、前記板材１の下端部近傍に位置して取り付けられるとともに、前記第２差込金物２０が、この第１差込金物１０よりも上方に位置して複数取り付けられ、さらに、これら第１差込金物１０および第２差込金物２０は、上下方向に所定間隔で配置されており、
前記板材１の裏面の他方の側端部には、複数の前記第２差込金物２０が、一方の側端部に取り付けられた前記第１差込金物１０よりも上方に位置して取り付けられ、かつ上下方向に所定間隔で配置されており、
前記下地材２の表面には、前記第１差込金物１０および第２差込金物２０の取付位置に対応して前記受け金物３０が複数取り付けられていることを特徴とする。
【００１４】
請求項４に記載の発明によれば、前記第１差込金物１０が前記板材１の下端部近傍に位置しており、前記板材１の裏面の両側端部に取り付けられる全ての第２差込金物２０は、この第１差込金物１０よりも上方に位置するとともに、それぞれ所定の間隔をあけて配置されているので、前記板材の裏面の両側端部に取り付けられる各差込金物１０，２０は、板材１の裏面の一方の側端部と他方の側端部とに対称的に取り付けられるものではなく、前記板材１の裏面の一方の側端部に取り付けられる第１差込金物１０および第２差込金物２０が、前記板材１の裏面の他方の側端部に取り付けられる第２差込金物２０に対して、それぞれ低い位置に取り付けられることとなる。すなわち、前記第１差込金物１０は、前記板材１の最下方に配置され、前記第２差込金物２０は、前記板材１の裏面の両側端部にジグザグ状に配置されることとなり、それぞれ異なる高さ位置に取り付けられることとなる。したがって、前記第１差込金物１０を前記受け金物３０の受け金物本体３１に差し込んだ後に、前記板材１を立て起こすだけで、前記第２差込金物２０を、下方から上方に向かって徐々に受け金物３０に接近させていくことができるので、全ての第１差込金物１０および第２差込金物２０を、前記受け金物本体３１に同時に差し込むことができる。
これによって、前記第１差込金物１０を前記受け金物３０の受け金物本体３１に差し込むことをきっかけにして、前記第２差込金物２０を前記受け金物本体３１に差し込むことができ、延いては板材１を前記下地材２に取り付けることができるので、従来とは異なり、前記板材１や下地材２に取り付けられる全ての金物に気を配る必要をなくすことができるので、前記板材１を下地材２に、さらに容易かつ確実に取り付けることができる。
【００１５】
請求項５に記載の発明は、例えば図１〜図４に示すように、請求項３に記載の板材用取付金物を用いて、板材１を下地材２に取り付ける板材１の取付方法であって、
前記第１差込金物１０および第２差込金物２０が取り付けられた板材１を、前記受け金物３０が取り付けられた下地材２に取り付けるに際し、
前記第１差込金物１０の本体差込部１１を、前記受け金物本体３１に差し込みむとともに、この本体差込部１１の引掛部１２を、前記受け金物本体３１の傾斜板部３１ｂの上端部に引っ掛けた後に、前記第１差込金物１０を、前記引掛部１２の前記傾斜板部３１ｂの上端部に当接する部分を軸にして回動させて前記板材１を立て起こし、
前記板材１の立て起こしに合わせて、前記複数の第２差込金物２０を下方から徐々に、それぞれの対応する受け金物３０に接近させ、各第２差込金物２０と受け金物３０とが互いに接近した際に、該第２差込金物２０の引掛部２２を、受け金物本体３１の傾斜板部３１ｂの上端部に引っ掛け、
次に、前記第２差込金物２０を、前記摺動部２２ａの外周面に沿って前記傾斜板部３１ｂの上端面を摺動させて前記受け金物本体３１の開口部３１ａに接近させると同時に、前記第１差込金物１０の引掛部１２の引掛状態を解除することによって、前記板材１を、この板材１と下地材２とが平行となるように立て起こすとともに前記下地材２に接近させ、
その後、前記第１差込金物１０および第２差込金物２０を、これら第１差込金物１０および第２差込金物２０の当接板部１３，２３が前記受け金物本体３１の上端部に当接するまで、前記受け金物本体３１の傾斜板部３１ｂの傾斜面に沿って斜め下方に摺動させることを特徴とする。
【００１６】
請求項５に記載の発明によれば、前記複数の第２差込金物２０の引掛部２２を、それぞれ受け金物本体３１の傾斜板部３１ｂの上端部に引っ掛けておき、前記第２差込金物２０を、前記摺動部２２ａの外周面に沿って前記傾斜板部３１ｂの上端面を摺動させて前記受け金物本体３１の開口部３１ａに接近させると同時に、前記第１差込金物１０の引掛部１２の引掛状態を解除することによって、前記第１差込金物１０および第２差込金物２０の引掛部１２，２２の引掛状態を全て解除することができるので、前記板材１を、この板材１と下地材２とが平行となるように確実に立て起こすことができるとともに、前記下地材２に確実に接近させることができる。
そして、その後、前記第１差込金物１０および第２差込金物２０を、これら第１差込金物１０および第２差込金物２０の当接板部１３，２３が前記受け金物本体３１の上端部に当接するまで、前記受け金物本体３１の傾斜板部３１ｂの傾斜面に沿って斜め下方に摺動させるので、これら第１差込金物１０および第２差込金物２０の摺動に合わせて、前記板材１を、前記下地材２へと徐々に接近させながら下方へと移動させるようにして、前記下地材２に取り付けることができる。すなわち、前記板材１を下地材２に取り付ける際は、前記第１差込金物１０および第２差込金物２０の引掛状態が解除された後に、前記板材１を、自重によって前記傾斜板部３１ｂの傾斜面に沿って斜め下方に移動させることによって、前記下地材２に接近させながら取り付けできるので、前記板材１を下地材２に、より一層容易かつ確実に取り付けることができる。
【発明の効果】
【００１７】
本発明によれば、板材の裏面の下端部近傍に取り付けられる第１差込金物を、下地材の表面に取り付けられた受け金物本体に差し込んでから板材を立て起こし、さらに、第１差込金物よりも上方に位置する第２差込金物を徐々に受け金物本体に接近させていくだけで、全ての第１差込金物および第２差込金物を、受け金物本体に同時に差し込むことができる。
しかも、このように第１差込金物を受け金物本体に差し込むことをきっかけにして、第２差込金物を受け金物本体に差し込むことができ、延いては板材を下地材２に取り付けることができるので、従来とは異なり、板材や下地材に取り付けられる全ての金物に気を配る必要をなくすことができ、板材を下地材に容易かつ確実に取り付けることができる。
【発明を実施するための最良の形態】
【００１８】
以下、図面を参照して本発明の実施の形態について説明する。
【００１９】
本実施の形態の板材用取付金物は、図１〜図４に示すように、垂直に立設された下地材２に、この下地材２の表面を覆う板材１を取り付けるためのものであり、前記板材１の裏面の下端部近傍に取り付けられる第１差込金物１０と、この第１差込金物１０よりも上方に位置し、前記板材１の裏面に取り付けられる複数の第２差込金物２０と、これら第１差込金物１０および第２差込金物２０の取付位置に対応して前記下地材２の表面に複数取り付けられる受け金物３０とからなる。
また、前記受け金物３０は、上方向に開口する開口部３１ａを有して前記第１差込金物１０および第２差込金物２０が差し込まれる受け金物本体３１を備えるとともに、この受け金物本体３１は、前記下地材２に対向し、かつ下方に向かって徐々に下地材２との間隔が狭まるように傾斜する傾斜板部３１ｂを備えている。
また、前記第１差込金物１０は、下方に向かって延出し、前記受け金物本体３１に差し込まれる本体差込部１１を備えるとともに、この本体差込部１１は、この本体差込部１１の上部に一体的に形成され、前記受け金物本体３１の傾斜板部３１ｂの上端部に引っ掛かる引掛部１２とを備えており、この第１差込金物１０は、前記引掛部１２の前記傾斜板部３１ｂの上端部に当接する部分を軸にして回動可能となっている。
【００２０】
また、前記第２差込金物２０は、図１および図２に示すように、前記受け金物本体３１に差し込まれる本体差込部２１を備えるとともに、この本体差込部２１は、この本体差込部２１の下部に一体的に形成され、前記受け金物本体３１の傾斜板部３１ｂの上端部に引っ掛かる引掛部２２と、この引掛部２２の下部に、下方に向かって膨らむように断面円弧状に形成された摺動部２２ａとを備えており、この第２差込金物２０は、前記摺動部２２ａの外周面に沿って前記傾斜板部３１ｂの上端面を摺動可能となっている。
【００２１】
ここで、本実施の形態の下地材２は、建物の壁を構成する壁パネルの一面側に貼り付けられた面材であり、本実施の形態の板材１は、前記面材の表面を覆うように取り付けられる外装材である。しかし、これに限られるものではなく、これら板材１および下地材２の関係を、例えば外壁面に取り付けられる看板や、店舗等で使用される姿見、壁に沿って設置される絵画の額や本棚等、様々なものに適用することが可能であり、本発明の趣旨を逸脱しない範囲で適宜変更可能である。
【００２２】
また、前記第１差込金物１０および第２差込金物２０、受け金物３０は、いずれも同種の金属からなる。また、前記第１差込金物１０は、図３および図４に示すように、前記板材１の一方の側端部に取り付けられ、前記第２差込金物２０は、前記板材１の裏面の両側端部に取り付けられている。この第２差込金物２０は、前記板材１の両側端部に取り付けられるので、左側端部用のものと右側端部用のものとが左右対称で構成されている。
【００２３】
まず、各金物１０，２０，３０について図面を参照して詳細に説明する。
本実施の形態の第１差込金物１０は、前記板材１の裏面に取り付けられるものであり、前記板材１の下端部近傍に位置しており、前記第２差込金物２０のうち、最も下方に位置する第２差込金物２０よりも下方に位置している。また、上述のように前記板材１の裏面の一方の側端部に取り付けられている。
【００２４】
また、前記第１差込金物１０は、図２（ａ）に示すように、この第１差込金物１０を前記板材１の裏面に取り付けるために、この板材１の裏面に固定される固定板部１４を備えている。この固定板部１４には、ビス用の孔が形成されている。
また、この固定板部１４には、この固定板部１４の側端部から直交方向に向かって所定寸法だけ突出する支持板部１５が一体的に設けられている。
さらに、この支持板部１５には、この支持板部１５の突出方向端部から、前記固定板部１４とは逆方向に所定寸法だけ延出する当接板部１３が一体的に設けられている。
そして、この当接板部１３の下端部から下方に向かって延出し、前記受け金物本体３１に差し込まれる本体差込部１１が一体的に設けられており、この本体差込部１１には、上述のように引掛部１２が一体的に形成されている。
【００２５】
なお、前記本体差込部１１は、この本体差込部１１の延出方向先端が、前記傾斜板部３１ｂの傾斜角度に合わせて若干屈曲している。
また、前記引掛部１２は、前記本体差込部１１に対して、側面視略横臥Ｕ字状に前記板材１側に膨らむようにして形成されており、図１（ａ），（ｂ）に示すように、この引掛部１２の下面が、前記傾斜板部３１ｂの上端部に引っ掛かるようになっている。そして、このように前記傾斜板部３１ｂの上端部に引っかかる引掛部１２の部位を軸にして、前記第１差込金物１０自体を回動させることができる。したがって、この第１差込金物１０を支点にして、前記板材１を、前記下地材２に合わせて垂直に立て起こすことができる。
【００２６】
また、前記引掛部１２は、前記本体差込部１１の上部に一体的に形成されているので、前記板材１を垂直に立て起こした後、この引掛部１２を、前記受け金物本体３１に差し込むことができる。
【００２７】
さらに、前記当接板部１３は、前記受け金物本体３１の開口部３１ａよりも幅広に形成されている。したがって、前記第１差込金物１０を、前記受け金物本体３１に差し込んだ際に、前記当接板部１３が、前記受け金物本体３１の上端部に当接することとなる。これによって、前記受け金物３０上に、前記第１差込金物１０を支持することができるので、前記板材１を下地材２に確実に取り付けることができる。
【００２８】
一方、前記第２差込金物２０は、図２（ｂ）に示すように、この第２差込金物２０を前記板材１の裏面に取り付けるために、この板材１の裏面に固定される固定板部２４を備えている。この固定板部２４には、ビス用の孔が形成されている。
また、この固定板部２４には、この固定板部２４の側端部から直交方向に向かって所定寸法だけ突出する支持板部２５が一体的に設けられている。
さらに、この支持板部２５には、この支持板部２５の突出方向端部から、前記固定板部２４とは逆方向に所定寸法だけ延出する当接板部２３が一体的に設けられている。
そして、この当接板部２３の下端部から下方に向かって突出し、前記受け金物本体３１に差し込まれる本体差込部２１が一体的に設けられており、この本体差込部２１には、上述のように引掛部２２が一体的に形成されている。
【００２９】
なお、前記本体差込部２１は、前記第１差込金物１０の本体差込部１１よりも短尺であり、この寸法差を利用して、前記第１差込金物１０の本体差込部１１を前記受け金物本体３１に差し込んだ状態のまま、前記第２差込金物２０の本体差込部２１の引掛部２２を前記傾斜板部３１ｂの上端部に引っ掛けたり、この本体差込部２１を前記受け金物本体３１に差し込んだりすることができる。
【００３０】
また、前記引掛部２２は、前記下地材２側に突出しており、図１（ｂ）に示すように、前記板材１を立て起こし、前記第２差込金物２０を、前記受け金物本体３１に接近させた際に、前記傾斜板部３１ｂの上端部に引っ掛けることができる。
さらに、前記摺動部２２ａは、上述のように、前記引掛部２２の下部に、下方に向かって膨らむように断面円弧状に形成されたものであり、図１（ｂ）〜図１（ｄ）引掛部２２を傾斜板部３１ｂの上端部に引っ掛けた状態から、さらに前記板材１を立て起しながら前記下地材２に接近させることによって、前記第２差込金物２０を、前記引掛部２２の引掛状態を解除しながら、前記摺動部２２ａの外周面に沿って前記傾斜板部３１ｂの上端面を摺動させることができるようになっている。
そして、これら引掛部２２および摺動部２２ａは、前記本体差込部２１の下部に一体的に形成されているので、前記板材１を垂直に立て起こした後、これら引掛部２２および摺動部２２ａを、前記受け金物本体３１に差し込むことができる。
【００３１】
また、前記当接板部２３は、前記受け金物本体３１の開口部３１ａよりも幅広に形成されている。したがって、前記第２差込金物２０を、前記受け金物本体３１に差し込んだ際に、前記当接板部２３が、前記受け金物本体３１の上端部に当接することとなる。これによって、前記受け金物３０上に、前記第２差込金物２０を支持することができるので、前記板材１を下地材２に確実に取り付けることができる。
【００３２】
さらに、全ての前記第１差込金物１０および第２差込金物２０の当接板部１３，２３が前記受け金物本体３１の上端部に当接した状態が、前記板材１が下地材２に正しく取り付けられた状態となるので、これら当接板部１３，２３が、前記受け金物本体３１の上端部に当接しているか否かを確認することで、前記板材１が下地材２に正しく取り付けられているか否かを確認することができる。
【００３３】
一方、前記受け金物３０は、図２（ｃ）に示すように、上方向に開口する開口部３１ａを有して前記第１差込金物１０および第２差込金物２０が差し込まれる受け金物本体３１を備えている。また、本実施の形態の受け金物本体３１は下方向にも開口しており、平断面視凹型に形成されている。
また、この受け金物３０は、前記受け金物本体３０の周囲に一体的に形成され、受け金物３０自体を前記下地材２の表面に取り付けるために、この下地材２の表面に固定される固定板部３２を備えている。この固定板部３２には、ビス用の孔が形成されている。
【００３４】
さらに、前記受け金物本体３１は、前記下地材２に対向し、かつ下方に向かって徐々に下地材２との間隔が狭まるように傾斜する傾斜板部３１ｂを備えている。この傾斜板部３１ｂは、前記板材１を下地材２に取り付けるに際し、前記第１差込金物１０および第２差込金物２０の引掛状態が解除された後に、前記板材１を、自重によって該傾斜板部３１ｂの傾斜面に沿って斜め下方に移動させるためのものであり、これによって、前記板材１を、前記下地材２に接近させながら取り付けできる。
【００３５】
また、前記板材１を下地材２に取り付けた際に、これら板材１と下地材２との間には、前記第１差込金物１０、第２差込金物２０、受け金物３０が介在しているので、これら板材１および下地材２間に通気層を形成することができる。
【００３６】
なお、本実施の形態の第１差込金物１０および第２差込金物２０、受け金物３０は、以上のようにして形成されているが、これに限られるものではなく、本発明の趣旨を逸脱しない範囲で適宜変更可能である。
【００３７】
次に、本実施の形態の板材用取付金物の取付構造について図面を参照して説明する。
すなわち、図３および図４に示すように、前記板材１の裏面の一方の側端部には、前記第１差込金物１０が、前記板材１の下端部近傍に位置して取り付けられるとともに、前記第２差込金物２０が、この第１差込金物１０よりも上方に位置して複数取り付けられ、さらに、これら第１差込金物１０および第２差込金物２０は、上下方向に所定間隔で配置されている。
また、前記板材１の裏面の他方の側端部には、複数の前記第２差込金物２０が、一方の側端部に取り付けられた前記第１差込金物１０よりも上方に位置して取り付けられ、かつ上下方向に所定間隔で配置されている。
そして、前記下地材２の表面には、前記第１差込金物１０および第２差込金物２０の取付位置に対応して前記受け金物３０が複数取り付けられている。
【００３８】
ここで、前記板材１の裏面の一方の側端部に取り付けられる第１差込金物１０および第２差込金物２０同士の所定間隔と、前記板材１の裏面の他方の側端部に取り付けられる第２差込金物２０同士の所定間隔とは、同一の寸法である。
したがって、前記第１差込金物１０が前記板材１の下端部近傍に位置しており、前記板材１の裏面の両側端部に取り付けられる全ての第２差込金物２０は、この第１差込金物１０よりも上方に位置するとともに、それぞれ所定の間隔をあけて配置されているので、前記板材の裏面の両側端部に取り付けられる各差込金物１０，２０は、板材１の裏面の一方の側端部と他方の側端部とに対称的に取り付けられるものではなく、前記板材１の裏面の一方の側端部に取り付けられる第１差込金物１０および第２差込金物２０が、前記板材１の裏面の他方の側端部に取り付けられる第２差込金物２０に対して、それぞれ低い位置に取り付けられることとなる。
【００３９】
なお、前記第１差込金物１０および第２差込金物２０を前記板材１の裏面に取り付ける際は、前記固定板部１４，２４をそれぞれ前記板材１の裏面の一方または他方の側端部に固定する。また、前記受け金物３０を前記下地材２の表面に取り付ける際は、前記固定板部３２を前記下地材２の表面に、前記第１差込金物１０および第２差込金物２０の取付位置に対応させるようにして固定する。
【００４０】
また、これら第１差込金物１０および第２差込金物２０は、図３に示すように、前記当接板部１３，２３および本体差込部１１，２１の一部が、前記板材１の両側端部よりも外側に位置するようにして取り付けられている。そして、このように外側に位置しているので、前記板材１を下地材２に取り付けた後に、前記当接板部１３，２３を、ビス止め等によって前記下地材２に固定できるようになっており、前記板材１の取付強度を格段に向上させることが可能となる。
【００４１】
また、図５に示すように、前記板材１と板材１ａとを隣接させた際に、これら隣接する板材１，１ａ間の目地に、前記当接板部１３，２３位置することとなるので、この目地からビス等を設けることができるようになっている。
なお、この場合は、前記当接板部１３，２３および本体差込部１１，２１の一部が、前記板材１の両側端部よりも外側に位置しているので、一方の板材１を下地材２に取り付けた状態で、他方の板材１ａを立て起こして、前記板材１に隣接させながら下地材２へと取り付けることができないので、これら板材１，１ａ同士を隣接させながら同時に立て起こして、同時に前記下地材２に取り付けるものとする。
【００４２】
一方、前記第１差込金物１０および第２差込金物２０を、図４に示すように、前記板材１の両側端部よりも外側にはみ出ないように取り付けるようにしてもよい。
このように、これら第１差込金物１０および第２差込金物２０が、前記板材１の両側端部よりも外側にはみ出さないことによって、図示はしないが、前記板材１同士を隣接させて前記下地材２に取り付ける際に、これら板材１同士を、互いに影響しあうことなく立て起こすことができる。
【００４３】
そして、本実施の形態の板材の取付構造によれば、前記第１差込金物１０は、前記板材１の最下方に配置され、前記第２差込金物２０は、前記板材１の裏面の両側端部にジグザグ状に配置されることとなり、それぞれ異なる高さ位置に取り付けられることとなる。
したがって、前記第１差込金物１０を前記受け金物３０の受け金物本体３１に差し込んだ後に、前記板材１を立て起こすだけで、前記第２差込金物２０を、下方から上方に向かって徐々に受け金物３０に接近させていくことができるので、全ての第１差込金物１０および第２差込金物２０を、前記受け金物本体３１に同時に差し込むことができる。
これによって、前記第１差込金物１０を前記受け金物３０の受け金物本体３１に差し込むことをきっかけにして、前記第２差込金物２０を前記受け金物本体３１に差し込むことができ、延いては板材１を前記下地材２に取り付けることができるので、従来とは異なり、前記板材１や下地材２に取り付けられる全ての金物に気を配る必要をなくすことができるので、前記板材１を下地材２に容易かつ確実に取り付けることができる。
【００４４】
次に、本実施の形態の板材用取付金物を用いて、前記板材１を下地材２に取り付ける板材１の取付方法について図面を参照して説明する。
【００４５】
まず、図１（ａ）および図３に示すように、前記板材１の裏面の一方の側端部に、前記第１差込金物１０を、前記板材１の下端部近傍に位置するように取り付けるとともに、前記第２差込金物２０を、第１差込金物１０よりも上方に位置するように複数取り付ける。なお、これら第１差込金物１０および第２差込金物２０を取り付ける際は、上下方向に所定の間隔をあけて配置する。
また、前記板材１の裏面の他方の側端部に、複数の前記第２差込金物２０を、一方の側端部に取り付けられた前記第１差込金物１０よりも上方に位置するように取り付け、かつ上下方向に所定の間隔をあけて配置する。
そして、前記下地材２の表面に、前記第１差込金物１０および第２差込金物２０の取付位置に対応するように前記受け金物３０を複数取り付ける。
【００４６】
続いて、図１（ａ）に示すように、前記第１差込金物１０の本体差込部１１を、前記受け金物本体３１に差し込みむとともに、この本体差込部１１の引掛部１２を、前記受け金物本体３１の傾斜板部３１ｂの上端部に引っ掛ける。
その後、前記第１差込金物１０を、前記引掛部１２の前記傾斜板部３１ｂの上端部に当接する部分を軸にして回動させるようにして前記板材１を立て起こす。
【００４７】
また、前記板材１の立て起こしに合わせて、前記複数の第２差込金物２０を下方から徐々に、それぞれの対応する受け金物３０に接近させ、各第２差込金物２０と受け金物３０とが互いに接近した際に、該第２差込金物２０の引掛部２２を、図１（ｂ）に示すように、受け金物本体３１の傾斜板部３１ｂの上端部に引っ掛ける。
【００４８】
続いて、図１（ｃ）に示すように、前記第２差込金物２０を、前記摺動部２２ａの外周面に沿って前記傾斜板部３１ｂの上端面を摺動させて前記受け金物本体３１の開口部３１ａに接近させる。これと同時に、前記第１差込金物１０の引掛部１２の引掛状態を解除することによって、前記板材１を、この板材１と下地材２とが平行となるように立て起こすとともに前記下地材２に接近させる。
【００４９】
その後、前記第１差込金物１０および第２差込金物２０を、図１（ｄ），（ｅ）に示すように、これら第１差込金物１０および第２差込金物２０の当接板部１３，２３が前記受け金物本体３１の上端部に当接するまで、前記受け金物本体３１の傾斜板部３１ｂの傾斜面に沿って斜め下方に摺動させる。
したがって、これら第１差込金物１０および第２差込金物２０の摺動に合わせて、前記板材１を、前記下地材２へと徐々に接近させながら下方へと移動させるようにして、前記下地材２に取り付けることができる。すなわち、前記板材１を下地材２に取り付ける際は、前記第１差込金物１０および第２差込金物２０の引掛状態が解除された後に、前記板材１を、自重によって前記傾斜板部３１ｂの傾斜面に沿って斜め下方に移動させることによって、前記下地材２に接近させながら取り付けできる。
以上のようにして、前記板材１を下地材２に取り付けることができる。
【００５０】
本実施の形態によれば、前記第１差込金物１０を、前記受け金物本体３１に差し込んでから板材１を立て起こし、さらに前記第２差込金物２０を徐々に受け金物本体３１に接近させていくだけで、全ての第１差込金物１０および第２差込金物２０を、前記受け金物本体３１に同時に差し込むことができる。しかも、このように前記第１差込金物１０を前記受け金物本体３１に差し込むことをきっかけにして、前記第２差込金物２０を前記受け金物本体３１に差し込むことができ、延いては前記板材１を下地材２に取り付けることができるので、従来とは異なり、前記板材１や下地材２に取り付けられる全ての金物に気を配る必要をなくすことができ、前記板材１を下地材２に容易かつ確実に取り付けることができる。
【図面の簡単な説明】
【００５１】
【図１】板材を下地材に取り付ける際の手順を示す側面図である。
【図２】本発明の実施の形態に係る板材用取付金物を示す斜視図であり、（ａ）は第１差込金物であり、（ｂ）は第２差込金物であり、（ｃ）は受け金物である。
【図３】図２に示す板材用取付金物の取付構造の一例を示す背面図である。
【図４】図２に示す板材用取付金物の取付構造の一例を示す背面図である。
【図５】図２に示す板材用取付金物の取付構造の一例を示す背面図である。
【符号の説明】
【００５２】
１  板材
２  下地材
１０  第１差込金物
１１  本体差込部
１２  引掛部
２０  第２差込金物
３０  受け金物
３１ｂ  傾斜板部
【図１】
0004975550.tif 000002
【図２】
0004975550.tif 000003
【図３】
0004975550.tif 000004
【図４】
0004975550.tif 000005
【図５】
0004975550.tif 000006